(57)【要約】ディスプレイ構成（１０）を自動コミッショニングする方法が、前記ディスプレイ構成の多次元アレイに配列された複数のLEDモジュール（１２）を提供することを含む。各LEDモジュール（１２）は傾聴動作モードと通過動作モードの間で動作可能である。各LEDモジュール（１２）はさらに所定の配位および配向をもつ少なくとも二つのポートを有する（２０）。前記多次元アレイ中で前記複数のLEDモジュールのうちいくつかの隣接するものどうしがそれぞれのLEDモジュールの相補的ポートを介して結合される。当該方法はさらに、前記ディスプレイ構成中の単一のアクセス点（１９）にコントローラ（１８）を結合することを含み、ここで、前記単一のアクセス点は前記複数のLEDモジュールのうちで前記複数のLEDモジュールの別のポートに結合されていない利用可能なポートである。前記複数のLEDモジュールの自動コミッショニングが、前記コントローラおよび前記単一のアクセス点を介して、（ｉ）前記LEDモジュールの傾聴動作モードおよび通過動作モードならびに（ｉｉ）前記ポートの配位および配向に応じて実装される。
2009538440.tif 000002
【特許請求の範囲】
【請求項１】
ディスプレイ構成を自動コミッショニングする方法であって：
前記ディスプレイ構成の多次元アレイに配列された複数のLEDモジュールを提供する段階であって、ここで、各LEDモジュールは傾聴動作モードと通過動作モードの間で動作可能であり、各LEDモジュールはさらに所定の配位および配向をもつ少なくとも二つのポートを有し、さらに、前記多次元アレイ中で前記複数のLEDモジュールのうちいくつかの隣接するものどうしがそれぞれのLEDモジュールの相補的ポートを介して結合される、段階と；
前記ディスプレイ構成中の単一のアクセス点にコントローラを結合する段階であって、ここで、前記単一のアクセス点は前記複数のLEDモジュールのうちで前記複数のLEDモジュールの別のポートに結合されていない利用可能なポートである、段階と；
前記コントローラおよび前記単一のアクセス点を介して、（ｉ）前記LEDモジュールの傾聴動作モードおよび通過動作モードならびに（ｉｉ）前記ポートの配位および配向に応じた、前記複数のLEDモジュールの自動コミッショニングを実装する段階とを有する、
方法。
【請求項２】
請求項１記載の方法であって、前記自動コミッショニングを実装する段階が：
前記複数のLEDモジュールのうちの各LEDモジュールを傾聴動作モードにする段階と；
前記コントローラから前記単一のアクセス点に対応する第一のLEDモジュールに自動コミッショニング信号を送る段階と；
前記自動コミッショニング信号の受信に応答して、前記第一のLEDモジュールが、（ｉ）前記自動コミッショニング信号の受信を前記コントローラに対して受け取り確認し、（ｉｉ）自らに、前記ディスプレイ構成中の多次元アレイの前記複数のLEDモジュールの原点に対応する座標を割り当て、（ｉｉｉ）割り当てられた座標を示しそのポートのアクティブな利用可能性に関する情報を提供するさらなる受け取り確認を前記コントローラに送り、（ｉｖ）そのアクティブなポートを開いて自動コミッショニング信号をすべての隣に結合されているLEDモジュールに送り出し、ここで、自動コミッショニング信号はその送り出すLEDモジュールの割り当てられた座標を含んでいる、段階と；
前記自動コミッショニング信号の受信に応答して、後続のLEDモジュールが（ｉ）（ａ）前記送り出すLEDモジュールの座標および（ｂ）前記自動コミッショニング信号が受信された対応するポートの両方に基づいて自らに座標を割り当て、（ｉｉ）割り当てられた座標を示しそのポートのアクティブな利用可能性に関する情報を提供する受け取り確認を前記コントローラに送り、（ｉｉｉ）そのアクティブなポートを開いて自動コミッショニング信号をすべての隣に結合されているLEDモジュールに送り出し、ここで、自動コミッショニング信号はその送り出すLEDモジュールの割り当てられた座標を含んでいる、段階と；
さらなる後続のLEDモジュールによって自動コミッショニング信号が受信されるのに応答して、（ｉ）対応する座標の前記割り当て、（ｉｉ）対応する受け取り確認の前記コントローラへの前記送信、および（ｉｉｉ）対応するアクティブなポートを開いてさらなる対応する自動コミッショニング信号を送り出すことを、前記複数のLEDモジュールのすべての動作可能なLEDモジュールが座標を割り当てられるまで繰り返す段階とを有しており、LEDモジュールはそれぞれの座標を割り当てられるのに際してコミッションされたLEDモジュールとなる、
方法。
【請求項３】
請求項２記載の方法であって、自動コミッショニング信号を送るLEDモジュールは、（ａ）自動コミッショニング信号を、自動コミッショニング信号がすでにそこを通じて受信されたポートには転送せず、また（ｂ）後続モジュールがすでに座標を割り当てられているポートを通じては自動コミッショニング信号を転送しない、
方法。
【請求項４】
請求項２記載の方法であって、自動コミッショニング信号の受信に応答して、前記第一のLEDモジュールが前記コントローラに、（ａ）該第一のLEDモジュールまたは（ｂ）マトリクス・タイプの一つまたは複数の詳細を報告し返し、ここで、前記マトリクス・タイプは、前記第一のLEDモジュールによってサポートされる色およびピッチのうちの一つまたは複数を含む、方法。
【請求項５】
送るLEDモジュールの座標およびその利用可能なアクティブなポートの指示を含む各受け取り確認に応答して、前記コントローラが前記送るLEDモジュールの座標およびその利用可能なアクティブなポートの指示を記憶する、請求項２記載の方法。
【請求項６】
前記コントローラに対応する受け取り確認を送るのに応答して、送るLEDモジュールが新たにコミッションされたモジュールとなる、請求項２記載の方法。
【請求項７】
コミッションされた諸LEDモジュールから受信された受け取り確認信号に応答して、前記コントローラが、前記コミッションされた諸LEDモジュールのアクティブなポートの座標および特性ならびにこれから座標を割り当てられるべきさらなるLEDモジュールがあるかどうかに基づいて、前記LEDディスプレイ構成の形状を判別する、請求項２記載の方法。
【請求項８】
前記複数のLEDモジュールのうちの各LEDモジュールを傾聴動作モードにする段階が、電源オン／オフ・サイクルに対応する制御信号または信号列に応答して行われる、請求項１記載の方法。
【請求項９】
前記ディスプレイ構成の多次元アレイのLEDモジュールを傾聴動作モードにすることがユニキャスト型のネットワークを生成する、請求項１記載の方法。
【請求項１０】
請求項９記載の方法であって、傾聴動作モードについては、LEDモジュールのポートで受信されたいかなる信号も当該LEDモジュールが終点となる、請求項９記載の方法。
【請求項１１】
前記ディスプレイ構成の多次元アレイのLEDモジュールを通過動作モードにすることがブロードキャスト型のネットワークを生成する、請求項１記載の方法。
【請求項１２】
請求項１１記載の方法であって、通過動作モードについては、LEDモジュールのポートで受信されたいかなる信号も当該LEDモジュールを通過し、当該LEDモジュールの前記少なくとも二つのポートの後続ポートに進む、請求項１１記載の方法。
【請求項１３】
自動コミッショニングがさらに、伝搬遅延を使ってLEDモジュール間の距離を自動的に検出することを含む、請求項１記載の方法。
【請求項１４】
LEDモジュールの前記アレイが、LEDモジュールの二次元（２Ｄ）マトリクス・アレイおよびLEDモジュールの三次元（３Ｄ）マトリクス・アレイからなる群より選択されるアレイである、請求項１記載の方法。
【請求項１５】
前記少なくとも二つのポートが、方位磁針に基づく配位に配向されている四つのポートを含む、請求項１記載の方法。
【請求項１６】
前記少なくとも二つのポートが、極座標の使用によって特徴付けられる配位に配向されている、請求項１記載の方法。
【請求項１７】
請求項１記載の方法であって、最初の自動コミッショニングののち、当該方法がさらに：
前記コントローラを介して、座標中心直しコマンド信号を前記の複数のコミッションされたLEDモジュールに発する段階であって、ここで、前記座標中心直しコマンド信号は、前記複数のLEDモジュールに対して座標中心直し操作を実行するために必要とされる、適切な座標での要求されるオフセットの量を含む、段階と；
前記座標中心直しコマンド信号の受信に応答して、コミッションされたLEDモジュールが自らの個別の座標を前記オフセットに基づいて割り当て直す段階とを有する、
方法。
【請求項１８】
前記座標中心直しコマンド信号を発するのに先立ち、第一のディスプレイ構成の前記多次元アレイに配列された前記複数のLEDモジュールに、第二のディスプレイ構成の第二の多次元アレイに配列された第二の複数のLEDモジュールを結合させる段階をさらに有する、
請求項１７記載の方法。
【請求項１９】
最初の自動コミッショニングの完了に際して、前記複数のLEDモジュールの原点を割り当て直す段階をさらに有する、請求項１記載の方法。
【請求項２０】
前記複数のLEDモジュールの自動コミッショニングから得られた情報に応答して、前記ディスプレイ構成の多次元アレイに配列された前記複数のLEDモジュールの形状の境界および大きさを判別する段階をさらに有する、請求項１記載の方法。
【請求項２１】
前記境界が、前記ディスプレイ構成の多次元アレイの周のLEDモジュールによって定義され、前記周のLEDモジュールは、前記多次元アレイの所望される形状および大きさへの修正後にも機能する、請求項２０記載の方法。
【請求項２２】
LEDモジュールの自動コミッショニング機能をもつディスプレイ構成であって：
前記ディスプレイ構成の多次元アレイに配列された複数のLEDモジュールであって、ここで、各LEDモジュールは傾聴動作モードと通過動作モードの間で動作可能であり、各LEDモジュールは所定の配位および配向をもつ少なくとも二つのポートを有し、さらに、前記多次元アレイ中で前記複数のLEDモジュールのうちいくつかの隣接するものどうしがそれぞれのLEDモジュールの相補的ポートを介して結合される、LEDモジュールと；
前記ディスプレイ構成中の単一のアクセス点に結合されたコントローラ、とを有しており、ここで、前記単一のアクセス点は前記複数のLEDモジュールのうちで前記複数のLEDモジュールの別のポートに結合されていない利用可能なポートであり、前記コントローラは、前記単一のアクセス点を介して、（ｉ）前記LEDモジュールの傾聴動作モードおよび通過動作モードならびに（ｉｉ）前記ポートの配位および配向に応じて、前記複数のLEDモジュールの自動コミッショニングを実装するよう構成されている、
ディスプレイ構成。
【発明の詳細な説明】
【技術分野】
【０００１】
本発明の諸実施形態は概括的には固体照明（solid  state  lighting）システムに、より詳細にはLEDベースのディスプレイ構成（display  configuration）の自動コミッショニング（auto-commissioning）のための方法および装置に関する。
【背景技術】
【０００２】
固体照明（SSL）の到来により、非常に複雑な動的および静的なカラー照明効果を実現することが可能になりつつある。こうした効果はいくつかの入力、たとえばコントローラ、センサーおよびさらにはオーディオ／ビデオ（Ａ／Ｖ）ストリームに基づいていることがありうる。個別の発光ダイオード（LED）素子に加えて、LEDは、マルチメディア・コンテンツのためのディスプレイ、たとえばビデオ壁面として作用するようマトリクス構成で使うこともできる。
【発明の開示】
【発明が解決しようとする課題】
【０００３】
マトリクス・ディスプレイについて可能な構成の多様性、たとえばピッチ、マトリクスのサイズおよび形状がさまざまであるため、問題が生じる。所与の構成が静的な仕方であらかじめ構成設定されることができるものの、そのような静的な事前の構成設定は時間がかかり、柔軟性に欠ける。現行のSSLシステムに関する主たる欠点は、マトリクスのサイズ、形状およびピッチが事前に構成設定されるか、据え付け時に手でプログラムされるかしなければならないということである。
【課題を解決するための手段】
【０００４】
よって、任意のサイズおよび形状のマトリクス・ディスプレイを作成し、自動的にそのサイズおよび形状を検出する方法があることが望ましいであろう。したがって、当技術分野における問題を克服するための改善された方法およびシステムが望まれている。
【０００５】
図面において、同様の参照符号は同様の要素を指す。さらに、図面は縮尺通りに描かれていないことがあることを注意しておく。
【発明を実施するための最良の形態】
【０００６】
図１は、本開示のある実施形態に基づくLEDベースのディスプレイ構成１０のブロック図である。たとえば、いくつかのLEDモジュール１２が、行１４および列１６を含む相互接続されたマトリクスに配置される。あくまでも例示の目的で、図１に示される相互接続されたマトリクスは、LEDモジュール１２の４かける４（４×４）の正方形状マトリクスである。ある実施形態では、各LEDモジュール１２は、それぞれ参照符号７、８および９によって示される赤、緑および青の色の光を組み合わせて放出する機能をもつよう構成される。別の実施形態では、マトリクス１０はマトリクス中に数千もの相互接続されたLEDモジュール１２を有することができる。さらに、相互接続されたマトリクスは任意の二次元（２Ｄ）または三次元（３Ｄ）形状をも含むことができる。さらに、別の実施形態では、LEDモジュール１２は単色のモジュールを有する。さらにもう一つの実施形態では、マトリクス１０のLEDモジュール１２は異なる色の組み合わせのモジュールを有する。
【０００７】
本発明の諸実施形態との関連で使われる各LEDモジュール１２は、少なくとも二つのポートを有し、各ポートは電気的、光学的またはその他の、バスのような信号線を一つまたは複数含む。各LEDモジュールのポートは、当該モジュールに対して、および互いに対して、方位磁針の配向（北、東、南および西）のような所定の配位および配向に、または極座標配向に配向されている。各LEDモジュールはさらに、その機能に関する情報を含む。
【０００８】
図２は、本開示のある実施形態に基づく、図１のLEDベースのディスプレイ構成をより詳細に示す簡略化された概略的なブロック図である。特に、図２は、図１のLEDモジュール１２の相互接続されたマトリクス１０の拡大図に、行１４−１、列１６−１のところに位置されたLEDモジュール１２に結合されたコントローラ１８を付けたものである。コントローラ１８は、概括的に参照符号１９で示される単一のアクセス点のところでLEDモジュール１２に結合されている。マトリクス１０内の各正方形１２はLEDモジュールであり、そのそれぞれは参照符号２０で示されるいくつかの関連付けられたポートをもつ。これについては図３を参照して本稿でさらに論じることになるであろう。各LEDモジュールに関連付けられたポート２０の配向は重要である。図２の例では、LEDモジュールのそれぞれに対して四つのポートのみが示されている。しかしながら、所与の相互接続されたLEDモジュール用途のために要求される配向および形状に依存して、より多くのポートがあってもよい。さらに、ポートは、種々の配向および／または角度、たとえば円形、対角方向などによって特徴付けられてもよい。
【０００９】
システム初期化の際に、あるいはシステム初期化に応答して、LEDモジュールのマトリクスのすべてのポート２０は閉じた状態にある。コントローラ１８が単一のポート２０を介して単一のLEDモジュールに結合または接続されている。ある実施形態では、その単一のLEDモジュールは、LEDモジュールの相互接続されたマトリクスの縁に位置したモジュールである。コントローラ１８は、本開示の実施形態に基づくLEDモジュール・アレイの自動コミッショニングのための本稿で開示されるさまざまな機能を実行するための任意の好適なコントローラを含む。
【００１０】
動作では、コントローラ１８は接続されているポート２０を開き、LEDモジュール１２にコミッショニングを開始するよう要求する。次いで最初のLEDモジュール１２がその後続のポートを開き、コミッショニング・メッセージを転送する。開かれる後続のポートに依存して位置カウンタがインクリメントされる。自動コミッショニングについては本稿では図４との関連でさらに論じることになるであろう。その前にLEDモジュールのさらなる詳細を論じておく。
【００１１】
ここで図３に目を転じると、図３は、本開示の実施形態に基づくLEDベースのディスプレイ構成において使うための、参照符号１２（１）で示される第一のモードおよび参照符号１２（２）で示される第二のモードにおけるLEDモジュールの概略的なブロック図である。ある実施形態では、第一のモード１２（１）および第二のモード１２（２）はLEDモジュールの二つの通信状態を表す。第一の通信状態またはモード１２（１）は傾聴モード（listen  mode）を表す。第二の通信状態またはモード１２（２）は通過モード（pass  through  mode）を表す。さらに、各ポート２０は、それぞれ参照符号２２、２４および２６で示される、電源、接地および単数または複数の任意的なデータ線を含む。簡単のため、一組の電源、接地および任意的なデータ線しか示していない。ある実施形態では、データは電源線２２を介して伝送される。
【００１２】
傾聴モード１２（１）では、対応するLEDモジュール１２の任意の入力ポート（すなわち、２０（１）または２０（２）または２０（３）または２０（４））で受信された信号は、そのLEDモジュール１２が終着点となる。すなわち、そのLEDモジュールに送られ、入力ポートで受信されたすべての通信は後続のポートに渡されない。ディスプレイ構成のLEDモジュールを傾聴モードにすることは、ユニキャスト・ネットワークを生成する。ある実施形態では、ディスプレイ構成への電力のオン電源状態とオフ電源状態との間の巡回は、LEDモジュールを傾聴モードにする。LEDモジュールを傾聴モードにする他の好適な方法も使うことができる。
【００１３】
通過モード１２（２）では、前記対応するLEDモジュール１２の任意の入力ポート（すなわち、２０（１）または２０（２）または２０（３）または２０（４））で受信された任意の信号は、そのLEDモジュールを通過して、そのLEDモジュールの後続のポート（すなわち、２０（１）または２０（２）または２０（３）または２０（４））に渡る。すなわち、通過状態にあるLEDモジュールの任意のポートにはいるすべての信号が後続のポートを介してすべての他の接続されているモジュールに送り出される。ある実施形態では、ある所与のLEDモジュールがコントローラからまたはディスプレイ構成内ですぐ隣の別のLEDモジュールからの自動コミッショニング命令に基づいて行動するのに応答して、対応するLEDモジュールは自らを通過モードにする。
【００１４】
ある実施形態では、LEDモジュール１２のポート２０は北２０（１）、東２０（２）、南２０（３）および西２０（４）の方位磁針に基づく配位に配置されている。別の実施形態では、LEDモジュールのポートは他の座標系、たとえば極座標を考慮に入れてもよい。LEDモジュール１２のすべてのポートが開かれているとき、メッセージは、マトリクス１０全体にわたってブロードキャストされることができ、それぞれ各モジュール内に対応する位置が埋め込まれる。さらに別の実施形態では、たとえば電力を供給するために各LEDモジュールに接続されたオーバーレイ（図示せず）を使うなどした、より単純な実装が可能である。この最後の例では、ポートを通じて送られるのはデータだけである。
【００１５】
LEDモジュール１２はシート状に配列され、任意の所望の形状にカットされ、あるいは折り取られてもよい。コントローラ１８は、ここで示されているように接続されるのに応答して、LEDモジュール１２の結果として得られるアレイの形状を自動的に決定するよう構成される。本開示の実施形態は、欠けている内部LEDモジュールがあるものも含め、不規則なアレイ形状にも対処する。LEDモジュール・アレイのトポロジーの知識は、経路制御情報を決定するために使用されることもできる。これは、メッシュが構想される場合に特に有用である。その場合、障害のあるLEDユニットはバイパスできる。
【００１６】
ある実施形態では、LEDモジュール１２のマトリクスの物理的な大きさの決定は、モジュール・ピッチのみを要求する（LEDモジュールのシートが不規則でなければ）。ピッチは（ｉ）コントローラ中にプログラムされることも、あるいは（ｉｉ）物理的なシートに配列されているモジュールによって報告されることもできる。同じ原理は、ポート配向にも適用できる。すなわち、それぞれのLEDモジュールのポート配向は（ｉ）コントローラ中にプログラムされることも、あるいは（ｉｉ）物理的なシートに配列されているモジュールによって報告されることもできる。さらに、各個別LEDモジュールの機能（たとえば、単色、多色など）は（ｉ）すべてのLEDモジュールが同様の機能である場合においてはコントローラ中にプログラムされることも、あるいは（ｉｉ）ディスプレイ構成のLEDモジュールの一つまたは複数が同様の機能であるか異なる機能である場合においては個別モジュールのそれぞれによって報告されることもできる。
【００１７】
ひとたびコミッショニングされると、LEDディスプレイ１０は、たとえば、コントローラ１８を介して、すべてのメッセージが第一のモジュールを通るのを防止するよう、ブロードキャスト式に動作するよう構成される。しかしながら、コミッショニングの間には、ユニキャスト・ネットワークが使われなければならない。というのも、モジュールとしては隣接モジュールからのメッセージしか受信していないことを知ることが重要だからである。これは、（１）ユニキャストの自動コミッショニング通信はポートを通じて送り、かつ（２）ブロードキャスト・データは電力層を通じて送ることを介して、あるいは各モジュールによって対応するモジュールの位置における関連付けられたバス（図示せず）を有効にしたり無効にしたりすることによって、達成できる。後者の解決策の場合、コントローラは自動コミッショニングが完了したあとでバス全体を有効にする。
【００１８】
繰り返すが、図３はLEDモジュールの二つの通信状態を示している。電源投入時に、LEDベースのディスプレイ構成のすべてのモジュールは、たとえばコントローラ１８を介して傾聴モード１２（１）にされる。傾聴モードでは、すべての通信は対応するLEDモジュールにそのポートの一つを介して送られ、その後続ポートには渡されない。これはユニキャスト・ネットワークを生成する。自動コミッショニングが完了したあとでは、すべてのLEDモジュールが通過モード１２（２）にされる。通過モードでは、入力ポートにおいてLEDモジュールにはいるすべての信号は他のすべての接続されたモジュールに送り出される。これはブロードキャスト・ネットワークを生成する。
【００１９】
図４は、本開示のある実施形態に基づく、LEDベースのディスプレイ構成の自動コミッショニングの方法を例解するための、部分的なLEDマトリクス・アレイのブロック図である。図４の図解では、LEDモジュール１２は、それぞれ概括的に参照符号２０（１）、２０（２）、２０（３）および２０（４）によって示される、方位磁針に基づくポート（北、東、南および西）を含んでいる。この例では、マトリクス・アレイのすべてのモジュール１２はそれぞれ、スタートアップ時に座標（x＝0、y＝0）をもつようセットされている。さらに、LEDモジュール１２のそれぞれは、受信された最初のメッセージに基づいてそれぞれの座標をセットし直すのみであり、その後の自動コミッショニング・メッセージはすべて無視するよう構成される。
【００２０】
本開示のある実施形態に基づくLEDベースのディスプレイ構成の自動コミッショニングの方法は次のことを含む。
【００２１】
参照符号４１によって概括的に示される第一のステップでは、コントローラ１８が所望されるLEDモジュール、好ましくは縁のモジュールに結合される。図４の例では、第一のLEDモジュールは行１４−１と列１６−１の交差部に位置するLEDモジュールに対応する。コントローラを前記所望されるLEDモジュールに結合することが、コミッショニング開始信号（すなわち、自動コミッショニング開始）をトリガーする。コミッショニング開始信号はポート２０（４）を介して関連付けられたLEDモジュールに送られる。自動コミッショニング・プロセスの開始に先立って、ディスプレイ構成のすべてのLEDモジュールはたとえば電源オン／オフ・サイクルに対応するような適切な制御信号または信号列を使って傾聴モード１２（１）にされる。
【００２２】
参照符号４２によって概括的に示される第二のステップでは、自動コミッショニング開始信号に応答して、第一のLEDモジュールは自動コミッショニング開始信号の受信をコントローラ１８に対して受け取り確認する（acknowledge）。代替的な実施形態では、任意的なステップが、第一のLEDモジュールがコントローラに、そのLEDモジュールおよび／またはマトリクス・タイプの一つまたは複数の詳細を報告し返すことも含む。マトリクス・タイプの詳細は、たとえば、サポートされる色およびピッチを含むことができる。しかしながら、そのような代替的な実施形態がない場合には、コントローラにピッチおよびサポートされる色について知らせるための別の方法が要求される。たとえば、コントローラがピッチおよびサポートされる色について通知されるのは、好適な事前構成情報、ユーザー入力された情報またはコントローラにLEDモジュールのピッチおよびLEDモジュールによってサポートされる色について通知するための他の好適な方法を介してでよい。
【００２３】
コントローラに受け取り確認信号を提供したのち、第一のLEDモジュールは自らをLEDモジュール・ディスプレイ構成の原点であるとして割り当てる。これは概括的に参照符号４３によって示されている。たとえば、原点は、平面状のディスプレイ構成については、座標（x＝0、y＝0）を含む。
【００２４】
次いで第一のLEDモジュールはコントローラに、概括的に参照符号４４によって示される、割り当てられた座標およびその利用可能なアクティブなポートの指標を示す受け取り確認信号を送る。さらに、コントローラは割り当てられた座標および利用可能なアクティブなポートの指標を記憶する。
【００２５】
その後、第一のLEDモジュールはそのアクティブなポートのそれぞれを開き、概括的に参照符号４５によって示される、自動コミッショニング信号を全ての隣接するLEDモジュールに送り出す。送り出される自動コミッショニング信号は送出モジュールの座標を含む。一つの例外として、送出モジュールは自動コミッショニング信号を、自動コミッショニング信号がすでにそこを通じて受信されたポートには転送しない。さらに、後続モジュールがすでに座標を割り当てられている開いているアクティブなポートを介して送られる自動コミッショニング信号は、その後続モジュールによって無視される。
【００２６】
概括的に参照符号４６によって示されている次のステップでは、自動コミッショニング信号を受信するのに応答して、受信モジュールは自らに、（ｉ）送出モジュールの座標と、（ｉｉ）自動コミッショニング信号が受信された自らのポートとに基づいて座標を割り当てる。
【００２７】
LEDモジュールが自らに座標を割り当てて新たにコミッションされたモジュールとなるのに応答して、LEDモジュールは、参照符号４７によって示されるような受け取り確認を、自らに割り当てた座標および自らの利用可能なアクティブなポートの識別情報とともに、コントローラに送る。するとコントローラはその割り当てられた座標および利用可能なアクティブなポートの指標を記憶する。
【００２８】
この手順（すなわち、上で論じたステップ４１〜４７）は当該ディスプレイ構成のすべてのLEDモジュールが座標を割り当てられるまで続く。追加的なステップが、さらに自動コミッショニング信号に応答して、各LEDモジュールが自分がコミッションされ終わり、すべてのアクティブなポートが同定されていることを視覚的に示すことを含んでいてもよい。たとえば、視覚的な指標は、たとえば、それぞれのコミッションされたモジュールから放出される閃光を含んでいてもよい。
【００２９】
コントローラ１８がLEDモジュールからの受け取り確認を受信する際、コントローラ１８はLEDマトリクス・ディスプレイの形状を判別し、利用可能なアクティブなポートがもはや残っていなくなる時を判別する。モジュールのそれぞれの座標は、（ｉ）それぞれのモジュールに、（ｉｉ）コントローラに、（ｉｉｉ）あるいは両方に記憶されることができる。モジュール上に座標を記憶することは、各モジュールに不揮発性メモリを追加するか、電源を切ったあと毎回再コミッションする必要を要求することになる。電源を切ったあと毎回再コミッションすることの一つの利点は、マトリクス・ディスプレイが何らかの物理的な修正によって構成し直されても、次のスタートアップの際に自動的に再コミッションされることができるということである。コントローラ上に記憶される場合、各モジュールはコントローラの好適なメモリ（たとえばＲＯＭまたはその他のメモリ）において事前構成設定された一意的なアドレスを必要とすることになる。それによりコントローラが座標とモジュールとの間の対応を付けられるようになるのである。
【００３０】
あるさらなる実施形態では、自動コミッショニング方法は、追加的なステップを有する。ここで、最初のコミッショニング後、コントローラはディスプレイ構成またはマトリクスの原点を割り当て直す。たとえば、コントローラがマトリクスの横を半分上がったところにつながれていたとすると、下部では負の座標をもつことになる。この例では、コントローラは座標中心直しコマンド信号を発する。この信号は、必要とされる座標xおよびyのオフセットとともに送出される。座標中心直しコマンドに応答して、モジュールのそれぞれは自らの個別の座標をこのオフセットに基づいて割り当て直す。この追加的な自動コミッショニング・ステップまたは機構は、複数のディスプレイ構成またはマトリクスが一緒に接続されるべき用途での使用のために有利である。というのも、いくつかのディスプレイ構成またはマトリクスが単一のより大きなディスプレイ構成またはマトリクスのはたらきをすることを可能にするために、諸ディスプレイ構成またはマトリクスのそれぞれがオフセットを必要とするからである。
【００３１】
さらにもう一つの実施形態では、自動コミッショニング方法は、電力および自動コミッショニングの通信を組み合わせて、両者がモジュールのアクティブなポートに送達されるようにする。このようにして、コントローラ１８はLEDモジュールがコミッションされる際にLEDモジュールを電源投入する。しかしながら、この実施形態では、個別のモジュールを通じてマトリクス電力全体を提供することに関して問題が生じないことを保証するよう注意を払わなければならない。また、対応するLEDモジュールのアクティブなポートの電力およびデータ線のそれぞれが適切に終端された設計を含む。
【００３２】
さらにもう一つの実施形態によれば、LEDモジュール１２のポート２０は、（方位磁針に基づく、あるいはデカルト座標以外の）座標系、たとえば極座標系に従って構成される。さらに、本開示の実施形態は、LEDモジュールのシートに固定されているのではなく、任意の仕方で接続されているLEDモジュールにも拡張できる。しかしながら、この後者の構成はさらなるユーザーの介入を要求する可能性が高い。
【００３３】
さらに、本開示の実施形態に基づく自動コミッショニングの方法の追加的なステップが、通信伝搬遅延を使って自動的にLEDモジュール間の距離を検出することをも含む。さらにまた、本開示の実施形態は、照明用途で、たとえばLEDベースのディスプレイを必要とする任意の分野で利用できる。
【００３４】
もう一つの実施形態では、本稿で開示される自動コミッショニング方法を介して得られる情報は、LEDモジュールのマトリクスの形状の境界を判別する際にさらに利用できる。たとえば、所与の形状および大きさのLEDモジュールのマトリクスが異なる所望される形状および大きさにカットされ、電力接続、制御接続をカットする、あるいはLEDモジュールを傷つける行為がLEDモジュールのうちの選択されたものをもはや機能しなくなるようにする場合、自動コミッショニング方法のその後の実行に応答して、自動コミッションされたLEDモジュールから得られた情報が、LEDモジュールのマトリクスの修正された形状の境界を判別するために適切に解析されることができる。境界は、修正されたマトリクスの周上にある、マトリクスを異なる所望される形状および大きさにカットした後でも機能するLEDモジュールによって定義される。換言すれば、前記方法はさらに、複数のLEDモジュールの自動コミッショニングから得られる情報に応答してディスプレイ構成の多次元アレイに配列された複数のLEDモジュールの形状および大きさの境界を判別することを含む。境界は、ディスプレイ構成の多次元アレイの周のLEDモジュールによって定義される。ここで、周のLEDモジュールは、多次元アレイの所望される形状および大きさへの修正後も相変わらず機能する。
【００３５】
したがって、本開示の実施形態は、LEDマトリクス・ベースのディスプレイの完全に動的で自動化された方法を提供する。マトリクスは効果的に適切なサイズにカットでき、コントローラは任意の単一のアクセス点に接続され、するとシステムは、本開示の実施形態によれば、接続されたLEDマトリクスの物理的な大きさおよび形状を自動的に判別する。物理的な大きさは、ディスプレイ構成の解像度を決定するために特に重要である。これが次いでマトリクス照明ネットワークの動的な発見を可能にする。もう一つの恩恵は、すべてのマトリクス形状および大きさにわたって、単一のコントローラ設計を使うことができ、よって再使用を増やし、全体的なSSLシステム費用を軽減するということである。
【００３６】
上記では若干の例示的な実施形態が記載されてきたが、当業者は、本開示の実施形態の新たな教示および利点から実質的に外れることなく、前記の例示的な実施形態に多くの修正が可能であることをすぐ理解するであろう。したがって、そのようなすべての修正は付属の請求項において定義される本開示の実施形態の範囲内に含まれることが意図されている。請求項において、手段と機能による節は、記載されている機能を実行するものとして本明細書に記載されている構造および構造的な等価物のみならず等価な構造をもカバーすることが意図されている。
【００３７】
さらに、一つまたは複数の請求項において括弧に入れられた参照符号があったとしても、請求項を限定するものと解釈してはならない。「有する」および「含む」などの語は、いずれかの請求項または明細書全体において挙げられている以外の要素またはステップの存在を排除しない。要素の単数形の言及はそのような要素の複数の言及を排除せず、要素の複数形の言及はそのような要素の単数の言及を排除しない。実施形態の一つまたは複数は、いくつかの相異なる要素を有するハードウェアによって、および／または好適にプログラムされたコンピュータによって実装されうる。いくつかの手段を列挙する装置請求項では、それらの手段のいくつかが単一の同じハードウェア項目によって具現されてもよい。ある種の施策が互いに異なる従属請求項において記載されているというだけの事実が、それらの施策の組み合わせが有利に使用できないことを示すことはない。
【図面の簡単な説明】
【００３８】
【図１】本開示のある実施形態に基づくLEDベースのディスプレイ構成のブロック図である。
【図２】本開示のある実施形態に基づく図１のLEDベースのディスプレイ構成を示す簡略化された概略的なブロック図である。
【図３】本開示の実施形態に基づくLEDベースのディスプレイ構成において使うための第一のモードおよび第二のモードにおけるLEDモジュールの概略的なブロック図である。
【図４】本開示のある実施形態に基づくLEDベースのディスプレイ構成の自動コミッショニングの方法を示す部分的なLEDマトリクス・アレイのブロック概略図である。
【図１】
2009538440.tif 000003
【図２】
2009538440.tif 000004
【図３】
2009538440.tif 000005
【図４】
2009538440.tif 000006
【国際調査報告】
2009538440.tif 000007
2009538440.tif 000008
2009538440.tif 000009